(57)【要約】      （修正有）【課題】通常あり得る複数の傾斜角度を持った擁壁を構築するための基礎を容易に作成できる基礎コンクリートブロックを提供する。【解決手段】台座部１は横方向に長く、前後の下部から垂下する脚部４ａを有する。台座部１の上面は前部の水平面とその後方の傾斜面１ａとで構成し、かつ複数の四辺形開口部が長さ方向に連設開口している。係止突起３、３…が正面側近傍に連設してあり、これらには直接に又は角度調整部材４ａを介して擁壁用コンクリートブロック１０の前側下部の係合段差部１０ｂを係止し得るようにする。角度調整部材４ａは、下部に係止突起３、３…に係止する係止凹部又は係止段差部４ａｄを備え、かつ上部に擁壁用コンクリートブロック１０の前側下部の係合段差部１０ｂを係止する段差部４ａｅを備えている。【選択図】図６
0003180501.tif 000002
【実用新案登録請求の範囲】
【請求項１】
上面が背後方向に下向き傾斜した傾斜面となっている、横方向に長い長尺の台座部と、前記台座部の正面側の下部及び背後側の下部からそれぞれ垂下させた脚部であって、該台座部の横方向の全長さ範囲に連続する脚部とからなり、
前記台座部には、その上面の正面側近傍に、擁壁用コンクリートブロックの正面側下部から垂下するの係合段差部を係止させる係止突起を突出させ、
加えて、該台座部には、前記傾斜面より大きな傾斜角度に擁壁用コンクリートブロックを設置するために前記係止突起に係止する角度調整部材であって、下部に前記係止突起に係止するための係止凹部又は係止段差部を備え、かつ上部に該擁壁用コンクリートブロックの正面側下部から垂下する係合段差部を係止する段差部を備えてなる、前記台座部の長さ方向に長い長尺部材に構成した角度調整部材を付設した基礎コンクリートブロック。
【請求項２】
前記台座部には、その上下を貫通開口させる複数の開口部を該台座部の長さ方向に沿って定間隔で開口し、
前記係止突起は、前記台座部上面の正面側近傍の、定間隔で配した前記開口部の間の位置に該台座部の長さ方向に沿って断続的に突出させた請求項１の基礎コンクリートブロック。
【請求項３】
前記台座部の上面の背後側端部近傍に、該台座部の背後側に向かって下降する傾斜状の切欠を該台座部の長さ方向に沿って形成し、該切欠の最低部側端部に生じた立ち上がり段差部を前記擁壁用コンクリートブロックの背後側下部を係止する係止用段差部として用いることとした請求項１又は２の基礎コンクリートブロック。
【考案の詳細な説明】
【技術分野】
【０００１】
本考案は、概ね箱状の多数の擁壁用コンクリートブロックを積み上げて種々の角度の擁壁を構築する際にそれらを積み上げる最下部の基礎を構成する基礎コンクリートブロックに関する。
【背景技術】
【０００２】
この種の多数の概ね箱状の擁壁用コンクリートブロックを積み上げて擁壁を構築する場合には、その最下部の基礎は、現場打ちのコンクリートで構成されるのが普通であり、構築されるべき擁壁等の角度に合わせて現場で適合するように構築されていたものである。このように現場でその上面の角度等を適切に調整しつつ基礎を構築することは容易なこととは云えず、熟練と慎重な作業とが要求されていた。
【０００３】
特許文献１は、この種の問題を解決しようとする提案例であり、基礎ブロックに関するもので、箱状のブロックを順次組み積して傾斜した擁壁を構築するにあたり、水平基礎面上に形成される基礎ブロックであって、第１段の箱状のブロックが載置される台座と、その台座の正面を水平基礎面から所望の角度に保持するための、上端が該台座に装着されるとともに、下端に定着部を備えた断面任意形状の脚柱とで構成したものである。
【０００４】
以上の基礎ブロックには、前記脚柱の下端の定着部に、脚部下端縁と水平基礎面との間隔を変化させる調節具が設けてある場合、該定着部に水平基礎面と面接触する据え付け具が設けてある場合、または前記台座と水平基礎面との間にコンクリートが打設されている場合のいずれか、またはいずれもが適用される場合があるともされる。
【０００５】
特許文献１の基礎ブロックは、その台座の上に箱状のコンクリートブロックを積み上げて擁壁を構築するものであり、その台座上面の角度を構築対象の擁壁の予定する角度に対応させる必要があるが、その調整が可能であり、かつその角度の微妙な調整も可能である利点がある。しかし、該台座を角度の調整を行いつつ支持する手段が脚柱であり、多数の箱状のコンクリートブロックをその上に重ねて擁壁を構築するための基礎ブロックとしては、そのような脚柱のみによる支持では十分な荷重を受けることができるか、疑問がある。結局は、台座と水平基礎面との間にコンクリートを打設することが殆どの場合必然的に行われることになると思われる。この基礎ブロックを用いることにより、その上面の角度を所望のそれに調節し易くなる点は、既述のように利点であるが、利点はそれのみで、その他の作業は、従来の現場打ちのコンクリート基礎と殆ど変わらないものになるように思われる。
【先行技術文献】
【特許文献】
【０００６】
【特許文献１】特開平０９−０７８６０３号公報
【考案の概要】
【考案が解決しようとする課題】
【０００７】
本考案は、擁壁の構築のための前記現場打ちのコンクリート基礎の問題点及び以上の特許文献１の基礎ブロックの問題点を解決し、通常あり得る種々の傾斜角度を持った擁壁を構築するための基礎として有用に使用することのできる基礎コンクリートブロックを提供することを解決の課題とする。
【課題を解決するための手段】
【０００８】
本考案の１は、上面が背後方向に下向き傾斜した傾斜面となっている、横方向に長い長尺の台座部と、前記台座部の正面側の下部及び背後側の下部からそれぞれ垂下させた脚部であって、該台座部の横方向の全長さ範囲に連続する脚部とからなり、
前記台座部には、その上面の正面側近傍に、擁壁用コンクリートブロックの正面側下部から垂下するの係合段差部を係止させる係止突起を突出させ、
加えて、該台座部には、前記傾斜面より大きな傾斜角度に擁壁用コンクリートブロックを設置するために前記係止突起に係止する角度調整部材であって、下部に前記係止突起に係止するための係止凹部又は係止段差部を備え、かつ上部に該擁壁用コンクリートブロックの正面側下部から垂下する係合段差部を係止する段差部を備えてなる、前記台座部の長さ方向に長い長尺部材に構成した角度調整部材を付設したものである。
【０００９】
本考案の２は、本考案の１の基礎コンクリートブロックにおいて、
前記台座部には、その上下を貫通開口させる複数の開口部を該台座部の長さ方向に沿って定間隔で開口し、
前記係止突起は、前記台座部上面の正面側近傍の、定間隔で配した前記開口部の間の位置に該台座部の長さ方向に沿って断続的に突出させたものである。
【００１０】
本考案の３は、本考案の１又は２の基礎コンクリートブロックにおいて、
前記台座部の上面の背後側端部近傍に、該台座部の背後側に向かって下降する傾斜状の切欠を該台座部の長さ方向に沿って形成し、該切欠の最低部側端部に生じた立ち上がり段差部を前記擁壁用コンクリートブロックの背後側下部を係止する係止用段差部として用いることにしたものである。
【考案の効果】
【００１１】
本考案の１の基礎コンクリートブロックによれば、擁壁の設置エリアに適切な下地処理を施した上で、その下地上の所定の位置に、これを直列に連続して配置し、構築対象の擁壁の角度に応じて、その台座部上に適切な角度調整部材を載置し又は載置しない状態とすることで、擁壁用コンクリートブロックを構築するための基礎の構築を完了させることができる。以上のように、簡単に構築対象の擁壁の傾斜角度に調整することもできる。
【００１２】
詳細には、擁壁の設置エリアは、現場打ちの基礎を構築する場合と同様に若干掘り下げて、砕石又は砂利を施し、かつ転圧をした上で、コンクリートを打設し、適切な高さの水平かつ平坦なコンクリート面を構築する。なお、このとき、該コンクリート面には必要に応じて所要の位置にアンカーボルトを埋め込んでおくことにする。
【００１３】
こうして下地の準備をした上で、該コンクリート面上の所定の位置に、前記のように、直列に本考案の１の基礎コンクリートブロックを配置する。当然、該コンクリート面にアンカーボルトを埋め込んだ場合はこれらを該基礎コンクリートブロックの所定の部位に挿入しながら配置する。なお、該基礎コンクリートブロックには、必要に応じて、上下貫通するアンカーボルトの貫通用の孔をあけておくか、または他の目的のための穴等の開口部を利用してアンカーボルトを貫通させうるようにしておく。その後、アンカーボルトを用いた場合は、その周囲にモルタルを充填して該基礎コンクリートブロックに固定し、かつ隣接する基礎コンクリートブロック間及び該基礎コンクリートブロックの背後にそれぞれコンクリートを充填する。
【００１４】
更に該基礎コンクリートブロックには、その台座部に、構築する擁壁の傾斜角度に応じて、適合する角度調整部材を載置係止し、又はしないようにする。角度調整部材は、一般的に構築されうる擁壁の傾斜角度に応じて対応する種類のそれを作成しておき、その中から適合するそれを選択して使用する。これは、該角度調整部材を台座部に載せ、下部の係止凹部又は係止段差部を該台座部の係止突起に係止することで載置係止状態にする。こうして極めて容易に所望傾斜角度の擁壁構築用の基礎を構築することができる。
【００１５】
その後は、以上のように、設置した基礎コンクリートブロック上に、順次、所定の擁壁用コンクリートブロックを積み重ねれば、所望の角度の擁壁を容易に構築することができる。擁壁用コンクリートブロックには、その下部の前後（正面側及び背後側）に脚状に垂下させた係合段差部を有するそれを採用し、その正面側下部の係合段差部を基礎コンクリートブロックの台座上の係止突起に係止するか、または該係止突起に載置係止した角度調整部材の段差部に係止することで該基礎コンクリートブロック上に確実に載置することができることになる。なお、基礎コンクリートブロック上への擁壁用コンクリートブロックの積み上げの仕方は、現場打ちのコンクリートで構築した基礎の上に積み上げる場合と同様である。
【００１６】
本考案の２の基礎コンクリートブロックによれば、台座部に、一面で、その長さ方向に沿って複数の開口部を定間隔で開口したので、この基礎コンクリートブロックを所定の下地上（コンクリート面）に設置した場合に、該開口部にコンクリート等を充填することにより、下地側とのより強い結合を確保することが可能であり、他面では、該開口部を形成した結果、前記係止突起が該開口部で分断されて断続的に構成されることとなったが、この基礎コンクリートブロックの台座部に積み上げる擁壁用コンクリートブロックは、その正面側下部の係合段差部を断続的に設置された複数の係止突起又は該複数の係止突起に係止した角度調整部材の段差部に係止させることになり、それ故、一つ一つの係止突起は小さいが、直接に又は角度調整部材を介して係止する係止対象が複数のそれであるので確実に係止させることが可能となるものである。
【００１７】
本考案の３の基礎コンクリートブロックによれば、擁壁用コンクリートブロックを基礎コンクリートブロックの台座上に載置係止する場合には、擁壁用コンクリートブロックの正面側下部の係合段差部を台座部上面の係止突起に係止した角度調整部材の段差部に係止し、該擁壁用コンクリートブロックの背後側下部縁を、該台座部上面の背後側端部近傍の前記係止用段差部（前記切欠の最低部側端部に生じた立ち上がり段差部）に係止することができる。すなわち、基礎コンクリートブロックの台座上に載置係止する擁壁用コンクリートブロックは、基礎コンクリートブロック上の前後二箇所に係止してより確実な設置を可能にしているものである。
【図面の簡単な説明】
【００１８】
【図１】(a)は実施例の基礎コンクリートブロックの一部の平面図、(b)は側面図、(c)(a)のはＡ−Ａ線断面図、(d)は(a)のＢ−Ｂ線断面図。
【図２】実施例の基礎コンクリートブロックの一部の背面図。
【図３】(a)は実施例の小角度の角度調整部材を設置した状態の基礎コンクリートブロックの部分平面図、(b)は側面図、(c)は実施例の小角度の角度調整部材の部分斜視図。
【図４】(a)は実施例の中間の角度の角度調整部材を設置した状態の基礎コンクリートブロックの部分平面図、(b)は実施例の二つの中間の角度の角度調整部材を一方を１８０度回転させて重ね合わせた状態を示した側面図、(c)は実施例の中間の角度の角度調整部材の部分斜視図、(d)は実施例の中間の角度の角度調整部材を設置した状態の基礎コンクリートブロックの側面図。
【図５】(a)は実施例の大角度の角度調整部材を設置した状態の基礎コンクリートブロックの部分平面図、(b)は実施例の二つの大角度の角度調整部材を一方を１８０度回転させて重ね合わせた状態を示した側面図、(c)は実施例の大角度の角度調整部材の部分斜視図、(d)は実施例の大角度の角度調整部材を設置した状態の基礎コンクリートブロックの側面図。
【図６】(a)は角度調整部材を設置しない基礎コンクリートブロックに擁壁用コンクリートブロックを載置した状態を示す側面説明図、(b)は小角度の角度調整部材を設置した基礎コンクリートブロックに擁壁用コンクリートブロックを載置した状態を示す側面説明図。
【図７】(a)は中間の角度の角度調整部材を設置した基礎コンクリートブロックに擁壁用コンクリートブロックを載置した状態を示す側面説明図、(b)は大角度の角度調整部材を設置した基礎コンクリートブロックに擁壁用コンクリートブロックを載置した状態を示す側面説明図。
【図８】(a)は擁壁用コンクリートブロックの正面図、(b)は側面図、(c)は平面図。
【考案を実施するための形態】
【００１９】
本考案を実施するための形態を実施例に基づき図面を参照しながら詳細に説明する。
【００２０】
この実施例の基礎コンクリートブロックは、図１〜図５（図中の基礎コンクリートは左側が前部、右側が後部になるように描いてある）に示すように、基本的に、上面が背後方向に下向き傾斜する傾斜面１ａである台座部１と、該台座部１の正面側の下部及び背後側の下部からそれぞれ垂下させた脚部２ａ、２ｂとからなり、該台座部１には、その上面の正面側近傍に係止突起３、３…を突出させ、かつ前記係止突起３、３…に係止する三種の角度調整部材４ａ、４ｂ、４ｃを付設したものである。
【００２１】
前記台座部１は、図１(a)及び図２に示すように、コンクリートで構成した横方向に長い長尺部材であり、前記し、特に図１(b)〜(d)に示すように、その上面は、最前部のみに細幅の水平面１ｂを有するほかは、傾斜面１ａとなっている。該傾斜面１ａは、前記のように、該水平面１ｂの後端から該台座部１の背後側端部まで下向き傾斜する斜面である。この傾斜面１ａの角度は、この基礎コンクリートブロックが対象とする擁壁用コンクリートブロック１０の最も小さな設置傾斜角度に対応するものである。なお、最前部の水平面１ｂは、不可欠なものではなく、省略しても不都合ではない。
【００２２】
前記台座部１には、特に図１(a)〜(d)及び図２に示すように、その長さ方向に沿ってその上下を貫通する複数の四辺形開口部１ｃ、１ｃ…を定間隔で開口し、かつ該台座部１には、その上面の背後側端部近傍に、該台座部１の背後側に向かって下降する傾斜状の切欠１ｄを形成し、該切欠１ｄの最低部側端部に生じた立ち上がり段差部を、この基礎コンクリートブロックに載置係止する擁壁用コンクリートブロック１０の背後側下部縁１０ａを係止する係止用段差部１ｄｄに用いることとしたものである。なお、この切欠１ｄは、図１(a)に示すように、該台座部１の長さ方向に沿って形成したものである。
【００２３】
前記係止突起３、３…は、図１(b)〜(d)に示すように、前記台座部１の傾斜面１ａの上部側途中に略台形状に突出させた突出部であり、該係止突起３、３…は、特に図６(a)に示すように、対象の擁壁用コンクリートブロック１０の係合段差部１０ｂを直接にこれらに係止させた場合には、その背後側下部縁１０ａが、前記切欠１ｄの係止用段差部１ｄｄを越えて傾斜面１ａのその背後側の部位に載った状態になるように、位置決めする。
【００２４】
また図６(b)に示すように、詳しくは後述する最も高さの低い角度調整部材４ａをその係止段差部４ａｄで該係止突起３、３…に係止させた上で、該角度調整部材４ａを介して該係止突起３、３…に係合段差部１０ｂを係止させて擁壁用コンクリートブロック１０を台座１上に配した場合も同様になるように、該係止突起３、３…の位置決めをする。なお、該角度調整部材４ａの上部に構成する段差部４ａｅもそのようになるように位置決めする。
【００２５】
また前記係止突起３、３…は、特に断続的な構成とする必要は無いが、前記し、かつ特に図１(a)及び図２に示すように、前記台座部１にその長さ方向に沿って定間隔で複数の四辺形開口部１ｃ、１ｃ…を開口させたため、該係止突起３、３…の該台座部１における前後方向の設置位置との関係から、自ずと該四辺形開口部１ｃ、１ｃ…で分断され、断続的な構成となったものである。もっとも分断されて断続的になったものではあるが、前記擁壁用コンクリートブロック１０の係止のため又は前記角度調整部材４ａ、４ｂ、４ｃの係止のために不都合のないサイズとすることができるものであり、特に問題は無い。
【００２６】
前記脚部２ａ、２ｂは、前記し、図１(b)〜(d)、図３(b)、図４(d)、図５(d)、図６及び図７に示すように、前記台座部１の前部側の下部及び背後側の下部から垂下させた構成部材であり、同図に示すように、それぞれ前後方向の幅を広く取るべきであり、かつ該台座部１の横方向の全長さ範囲に渡って垂下するように構成したものである。
【００２７】
前記角度調整部材４ａは、特に図３(a)〜(c)に示すように、背後側下部に前記係止突起３、３…に係止するための係止段差部４ａｄを備え、かつ上部に前記擁壁用コンクリートブロック１０の正面側下部の係合段差部１０ｂを係合する段差部４ａｅを備えたものであり、前記台座部１の長さ方向に長い長尺のコンクリート製の板状部材である。
【００２８】
該係止段差部４ａｄは、前記し、図３(b)、(c)に示すように、背後側下部を略四辺形に切り欠いた状態に構成したものであり、前記のように、台座部１の係止突起３、３…に正面側から係止して、この段差部４ａｅに正面側から係止する擁壁用コンクリートブロック１０をその背後側下部縁１０ａが傾斜面１ａの前記切欠１ｄの係止用段差部１ｄｄを越えた部位に載るように構成する。前記段差部４ａｅは、図３(a)〜(c)に示すように、該角度調整部材４ａの背後側上部に構成するものであるが、これも、該係止段差部４ａｄの位置関係と相俟って、係止する擁壁用コンクリートブロック１０をその背後側下部縁１０ａが傾斜面１ａの前記切欠１ｄの係止用段差部１ｄｄを越えた部位に載るように構成する。また該角度調整部材４ａの厚さ及び段差部４ａｅの高さは、これに係止する擁壁用コンクリートブロック１０の傾斜角度に対応して決定すべきものである。
【００２９】
前記角度調整部材４ｂは、前記角度調整部材４ａより、擁壁用コンクリートブロック１０の設置傾斜角度が大きい場合に対応し、更に前記角度調整部材４ｃは、該角度調整部材４ｂより擁壁用コンクリートブロック１０の設置傾斜角度が更に大きい場合に対応する。
【００３０】
基本構成が同一なので併せて説明する。
前記角度調整部材４ｂ、４ｃは、図４〜図５に示すように、下部に前記係止突起３、３…に係止するための係止凹部４ｂｇ、４ｃｇを備え、かつ上部に前記擁壁用コンクリートブロック１０の正面側下部の係合段差部１０ｂを係止する段差部４ｂｅ、４ｃｅを備えたものであり、前記台座部１の長さ方向に長い長尺のコンクリート製の板状部材である。
【００３１】
該係止凹部４ｂｇ、４ｃｇは、前記し、図４(b)〜(d)又は図５(b)〜(d)に示すように、背後側近傍の下部を台形状に切り欠いた状態に構成したものであり、この場合は、この係止凹部４ｂｇ、４ｃｇは、台座部１の係止突起３、３…に該係止凹部４ｂｇ、４ｃｇで嵌合係止して、この段差部４ｂｅ、４ｃｅに係止する擁壁用コンクリートブロック１０をその背後側下部縁１０ａが傾斜面１ａの前記切欠１ｄの係止用段差部１ｄｄに係止することになるように位置関係を設定する。前記段差部４ｂｅ、４ｃｅは、図４(a)〜(d)又は図５(a)〜(d)に示すように、該角度調整部材４ｂ、４ｃの背後側上部に構成するものであるが、これも、該係止凹部４ｂｇ、４ｃｇの位置関係と相俟って、この段差部４ｂｅ、４ｃｅに係止する擁壁用コンクリートブロック１０をその背後側下部縁１０ａが傾斜面１ａの前記切欠１ｄの係止用段差部１ｄｄに係止するように位置関係等を設定する。
【００３２】
また該角度調整部材４ｂ、４ｃの厚さ及び段差部４ｂｅ、４ｃｅの高さは、これに係止する擁壁用コンクリートブロック１０の設置すべき傾斜角度に対応して決定すべきものである。この実施例では、前記角度調整部材４ａ、４ｂ、４ｃを、その順序で擁壁用コンクリートブロック１０の設置する傾斜角度の大きい場合に適合するように構成したものである。傾斜角度が大きいほど、角度調整部材４ａ、４ｂ、４ｃの厚さが厚くなり、段差部４ａｅ、４ｂｅ、４ｃｅの高さが高くなるように構成する。
【００３３】
この実施例の基礎コンクリートブロックによれば、擁壁の設置エリアに適切な下地を構成した上で、その上の所定の位置に、これを直列に連続して配置し、構築対象の擁壁の角度に応じて、その台座部１上に適切な角度調整部材４ａ、４ｂ、４ｃを載置し又は載置しない状態とすることで、擁壁用コンクリートブロック１０により擁壁を構築するための基礎の構築は完了することができる。同時に簡単に角度の調整もできる訳である。
【００３４】
擁壁の設置エリアは、現場打ちの基礎を構築する場合と同様に、若干掘り下げて砕石又は砂利を施し、転圧した上で、コンクリートを打設し、適切な高さの水平かつ平坦なコンクリート面を構築する。
【００３５】
こうして下地の準備をした上で、該コンクリート面上の所定の位置に、前記のように、直列に実施例の基礎コンクリートブロックを配置する。そうした上で各基礎コンクリートブロックの四辺形開口部１ｃ、１ｃ…にコンクリートを充填し、更に隣接する基礎コンクリートブロック相互を結合すべくそれらの間にコンクリートを充填する。加えて基礎コンクリートブロックの背後にもコンクリートを充填する。
【００３６】
この後、前記角度調整部材４ａ、４ｂ、４ｃを該基礎コンクリートブロックの係止突起３、３…係合して設置し又は設置しないことによって構築すべき擁壁の傾斜角度に対応させた擁壁用基礎とする。前記したように、擁壁の設置傾斜角度が最も小さい場合は、角度調整部材４ａ、４ｂ、４ｃのいずれも設置せず、それより大きい場合は、順次、小さい順に、角度調整部材４ａ、４ｂ、４ｃを設置する。角度調整部材４ａを設置する場合は、図３(a)、(b)に示すように、これを、基礎コンクリートブロックの傾斜面１ａの前部側に載置しつつ、その係止段差部４ａｄを係止突起３、３…の前側から係止し、その載置状態を固定する。また角度調整部材４ｂ、４ｃを設置する場合は、図４(a)、(d)又は図５(a)、(d)に示すように、これらを、基礎コンクリートブロックの傾斜面１ａの前部側に載置しつつ、その係止凹部４ｂｇ、４ｃｇを係止突起３、３…にその上部から嵌合係止し、その載置状態を固定する。
【００３７】
その後は、以上のように、設置した基礎コンクリートブロックの台座部１上に、順次、所定の擁壁用コンクリートブロック１０、１０…を積み重ねて所望の角度の擁壁を容易に構築することができる。
【００３８】
なお、この実施例では、前記し、図８(a)〜(c)に示すように、擁壁用コンクリートブロック１０として、内部に上下貫通する四辺形の空洞を有する箱形のコンクリートブロックを採用した。前面には四辺形の化粧面を有し、前後の下部には脚状に垂下させた係合段差部１０ｂを有するそれを採用したものである。前部に係合段差部１０ｂを有することは必須であるが、その他の構成はこれに限定されない。
【００３９】
最も傾斜角度の小さい擁壁を構築する場合は、前記したように、擁壁設置エリアに配設した基礎コンクリートブロックには角度調整部材４ａ、４ｂ、４ｃのいずれも用いない。図６(a)に示すように、擁壁用コンクリートブロック１０、１０…は、その正面側下部の係合段差部１０ｂを、該基礎コンクリートブロックの台座１の傾斜面１ａの前部側上部に構成した係止突起３、３…に前部側から係止して該基礎コンクリートブロック上に確実に載置することができる。該擁壁用コンクリートブロック１０、１０…の背後側下部縁１０ａは、このとき、同図に示すように、傾斜面１ａの切欠１ｄの係止用段差部１ｄｄより背後側の部位上に載った状態となる。
【００４０】
該擁壁用コンクリートブロック１０、１０…の基礎コンクリートブロックへの積み上げは、既存の現場打ちコンクリートによって構築された基礎の上に行う場合と同様に行う。鉄筋の設置及びその周囲へのモルタルの充填、内部空洞への砕石又はコンクリートの充填、隣接する擁壁用コンクリートブロック１０、１０間への胴込材（コンクリート）の充填、及び背後側の裏込め材（コンクリート）の充填等は既存のそれと同様に行う。こうして強固な擁壁を構築することができる。
【００４１】
以上より、傾斜角度の大きい擁壁を構築する場合は、前記したように、擁壁設置エリアに配設した基礎コンクリートブロックにその傾斜角度に応じて角度調整部材４ａ、４ｂ、４ｃのいずれかを載置する。それぞれの設置の仕方は、先に述べたとおりである。いずれの場合も、図６(b)、図７(a)、(b)に示すように、擁壁用コンクリートブロック１０、１０…は、その正面側下部の係合段差部１０ｂを、該基礎コンクリートブロックの台座１の前部側上部の係止突起３、３…に載置係止した角度調整部材４ａ、４ｂ、４ｃの段差部４ａｅ、４ｂｅ、４ｃｅに前部側から係止して該基礎コンクリートブロックの台座１上に確実に載置することができる。
【００４２】
角度調整部材４ａを用いた場合は、角度調整部材４ａ、４ｂ、４ｃのいずれも用いない場合と同様に、該擁壁用コンクリートブロック１０、１０…の背後側下部縁１０ａは、図６(b)に示すように、傾斜面１ａの切欠１ｄの係止用段差部１ｄｄより背後側の部位上に載った状態となる。角度調整部材４ｂ、４ｃを用いた場合は、構築される擁壁の角度が大きくなるので、図７(a)、(b)に示すように、該擁壁用コンクリートブロック１０、１０…の背後側下部縁１０ａは、傾斜面１ａの切欠１ｄの係止用段差部１ｄｄに係止状態となり、より確実な係止状態が確保できることになる。
【００４３】
該擁壁用コンクリートブロック１０、１０…の基礎コンクリートブロックへの積み上げは、言うまでも無く、角度調整部材４ａ、４ｂ、４ｃを用いない場合と同様に、既存の現場打ちコンクリートによって構築される基礎の上に行う場合と同様に行う。鉄筋の設置その他に関して先に述べたとおりである。
【符号の説明】
【００４４】
１    台座部
１ａ  傾斜面
１ｂ  水平面
１ｃ  四辺形開口部
１ｄ  切欠
１ｄｄ  係止用段差部
２ａ  脚部（正面側）
２ｂ  脚部（背面側）
３    係止突起
４ａ、４ｂ、４ｃ  角度調整部材
４ａｄ  係止段差部
４ａｅ、４ｂｅ、４ｃｅ  段差部
４ｂｇ、４ｃｇ  係止凹部
１０  擁壁用コンクリートブロック
１０ａ  背後側下部縁
１０ｂ  係合段差部
【図１】
0003180501.tif 000003
【図２】
0003180501.tif 000004
【図３】
0003180501.tif 000005
【図４】
0003180501.tif 000006
【図５】
0003180501.tif 000007
【図６】
0003180501.tif 000008
【図７】
0003180501.tif 000009
【図８】
0003180501.tif 000010